(57)【要約】【課題】ブースタＯＮとＯＦＦそれぞれに応じたＲＦＡＧＣ信号の閾値電圧をブースタの状態に応じて切り替えて、アンテナにおける電界強度に応じた適正なブースタ切替制御を行う。【解決手段】ブースタ切替制御装置１０は、アンテナ１１から入力されるテレビジョン信号を増幅可能なブースタ１２、ブースタ１２を介してチューナ１３に入力されるテレビジョン信号の電界強度に応じたＲＦＡＧＣレベルを検出するＡＧＣ回路１７、ブースタ１２がＯＦＦ状態のときにＡＧＣ回路１７で検出可能なＲＦＡＧＣレベルに対する第１の閾値及びブースタ１２がＯＮ状態のときのＲＦＡＧＣレベルに対する第２の閾値を記憶したメモリ１６、制御部１５を有する。制御部１５は、ブースタ１２の動作状態を判定し、その結果に基づきメモリ１６から第１の閾値又は第２の閾値のいずれかを選択し、選択した第１の閾値又は第２の閾値に基づいてブースタ１２の動作状態を切り替え制御する。【選択図】図１
2005176167.tif 000002
【特許請求の範囲】
【請求項１】
アンテナから入力されるテレビジョン信号を増幅可能なブースタと、該ブースタに接続されたチューナとを備えたブースタ切替制御装置において、該ブースタ切替制御装置は、前記ブースタを介して前記チューナに入力されるテレビジョン信号の電界強度に応じたＲＦＡＧＣレベルを検出するＲＦＡＧＣ検出部と、前記ブースタがＯＦＦ状態のときに前記ＲＦＡＧＣ検出部で検出可能なＲＦＡＧＣレベルに対する第１の閾値及び前記ブースタがＯＮ状態のときに前記ＲＦＡＧＣ検出部で検出可能なＲＦＡＧＣレベルに対する第２の閾値を記憶した記憶部と、前記ブースタの動作状態を判定し、その判定結果に基づいて前記記憶部に記憶されている第１の閾値あるいは第２の閾値のいずれかを選択し、該選択した第１の閾値あるいは第２の閾値に基づいて前記ブースタの動作状態を切り替え制御する制御部とを備えたことを特徴とするブースタ切替制御装置。
【請求項２】
請求項１に記載のブースタ切替制御装置において、該ブースタ切替制御装置は、前記ＲＦＡＧＣ検出部で検出可能なＲＦＡＧＣレベルに対して閾値を設定して前記記憶部に記憶する閾値設定手段を有し、該閾値設定手段は、前記ブースタをＯＮ状態からＯＦＦ状態に切り替えるときの前記第２の閾値を、前記ブースタをＯＦＦ状態からＯＮ状態に切り替えるときの前記第１の閾値を超えない範囲で設定することを特徴とするブースタ切替制御装置。
【請求項３】
請求項２に記載のブースタ切替制御装置において、前記閾値設定手段は、前記チューナで受信するチャンネル毎に前記第１の閾値及び／又は第２の閾値を調整できるようにしたことを特徴とするブースタ切替制御装置。
【請求項４】
請求項１乃至３のいずれか１に記載のブースタ切替制御装置において、前記制御部は、前記ブースタがＯＦＦ状態と判定した場合、前記記憶部から前記第１の閾値を選択して設定し、前記ＲＦＡＧＣ検出部で検出されたＲＦＡＧＣレベルが前記第１の閾値以上となったときに前記ブースタをＯＮ状態に切り替えると共に、前記記憶部から前記第２の閾値を選択して設定することを特徴とするブースタ切替制御装置。
【請求項５】
請求項１乃至３のいずれか１に記載のブースタ切替制御装置において、前記制御部は、前記ブースタがＯＮ状態と判定した場合、前記記憶部から前記第２の閾値を選択して設定し、前記ＲＦＡＧＣ検出部で検出されたＲＦＡＧＣレベルが前記第２の閾値以下となったときに前記ブースタをＯＦＦ状態に切り替えると共に、前記記憶部から前記第１の閾値を選択して設定することを特徴とするブースタ切替制御装置。
【請求項６】
請求項１乃至５のいずれか１に記載のブースタ切替制御装置において、前記第１の閾値は、前記ＲＦＡＧＣ検出部で検出可能なＲＦＡＧＣレベルの最大値、前記第２の閾値は、前記ＲＦＡＧＣ検出部で検出可能なＲＦＡＧＣレベルの最小値であることを特徴とするブースタ切替制御装置。
【請求項７】
アンテナから入力されるテレビジョン信号を増幅可能なブースタと、該ブースタに接続された複数のチューナとを備えたブースタ切替制御装置において、該ブースタ切替制御装置は、前記ブースタを介して前記複数のチューナのいずれかに入力されるテレビジョン信号の電界強度に応じたＲＦＡＧＣレベルを検出するＲＦＡＧＣ検出部と、前記ブースタがＯＦＦ状態のときに前記ＲＦＡＧＣ検出部で検出可能なＲＦＡＧＣレベルに対する第１の閾値及び前記ブースタがＯＮ状態のときに前記ＲＦＡＧＣ検出部で検出可能なＲＦＡＧＣレベルに対する第２の閾値をチューナ毎に記憶した記憶部と、前記ブースタの動作状態を判定し、その判定結果に基づいて前記記憶部に記憶されているチューナ毎の第１の閾値あるいは第２の閾値のいずれかを選択し、該選択した第１の閾値あるいは第２の閾値に基づいて前記ブースタの動作状態を切り替え制御する制御部とを備えたことを特徴とするブースタ切替制御装置。
【請求項８】
請求項７に記載のブースタ切替制御装置において、該ブースタ切替制御装置は、前記ＲＦＡＧＣ検出部で検出可能なＲＦＡＧＣレベルに対して閾値を設定して前記記憶部に記憶する閾値設定手段を有し、該閾値設定手段は、前記ブースタをＯＮ状態からＯＦＦ状態に切り替えるときの前記第２の閾値を、前記ブースタをＯＦＦ状態からＯＮ状態に切り替えるときの前記第１の閾値を超えない範囲でチューナ毎に設定することを特徴とするブースタ切替制御装置。
【請求項９】
請求項７に記載のブースタ切替制御装置において、該ブースタ切替制御装置は、前記ＲＦＡＧＣ検出部で検出可能なＲＦＡＧＣレベルに対して閾値を設定して前記記憶部に記憶する閾値設定手段を有し、該閾値設定手段は、前記ブースタをＯＦＦ状態からＯＮ状態に切り替えるときの前記第１の閾値を全チューナ共通とし、前記ブースタをＯＮ状態からＯＦＦ状態に切り替えるときの前記第２の閾値を前記第１の閾値を超えない範囲でチューナ毎に設定することを特徴とするブースタ切替制御装置。
【請求項１０】
請求項８又は９に記載のブースタ切替制御装置において、前記閾値設定手段は、前記複数のチューナで受信するチャンネル毎に前記第１の閾値及び／又は第２の閾値を調整できるようにしたことを特徴とするブースタ切替制御装置。
【請求項１１】
請求項１乃至１０のいずれか１に記載のブースタ切替制御装置を一体で設けたテレビジョン装置。
【発明の詳細な説明】
【技術分野】
【０００１】
本発明は、ブースタ切替制御装置及びテレビジョン装置、より詳細には、受信したテレビ映像信号を増幅するブースタのＯＮ／ＯＦＦ切替を行うためのブースタ切替制御装置及び該ブースタ切替制御装置を搭載したテレビジョン装置に関する。
【背景技術】
【０００２】
テレビジョン放送信号を増幅して受信するためのテレビジョン装置に関し、特許文献１には、チューナから送られるＲＦＡＧＣ信号をマイコンが読み取り、このＲＦＡＧＣ信号に対しある一定電圧値を閾値としてブースタの自動切替制御を行うようにしたものが開示されている。これは、受信電波が弱電界時のみブースタをＯＮ状態として映像信号を増幅し、逆に受信電波が強電界時はブースタをＯＦＦ状態とすることによりチューナが強電界を受信することによって受ける障害（混変調など）を抑制することを目的としている。
【特許文献１】実開平１−１６７６２号公報
【発明の開示】
【発明が解決しようとする課題】
【０００３】
しかしながら、上記特許文献１のように、単純にＲＦＡＧＣ信号に対しある一定電圧値を閾値としてブースタの自動切替制御を行う制御方式では、実際の電界強度（すなわち、アンテナの電界強度）に応じたブースタ制御が適切に行えないという問題がある。これについて下記の図６及び図７に基づいて説明する。
図６は、従来のブースタを搭載したテレビジョン装置の内部構成を示すブロック図で、テレビジョン装置は、アンテナ１０１，テレビジョン受像機１０２，ブースタ１０３からなり、テレビジョン受像機１０２は、中間周波増幅回路１０４，ＲＦＡＧＣレベル検出回路１０５，チューナ回路１０６を備え、Ａはアンテナ１０１に入力される電界強度、Ｔはチューナ回路１０６に入力される電界強度である。テレビジョン受像機１０２は、テレビジョン信号の強度をＲＦＡＧＣレベルで検出するＲＦＡＧＣレベル検出回路１０５からのコントロール信号をコントロール信号出力端子１０２ａから出力し、コントロール信号入力端子１０３ａからブースタ１０３に入力し、ブースタ１０３は入力されたコントロール信号に従ってＯＮ／ＯＦＦを切り替える。
【０００４】
図７は、図６に示したテレビジョン装置のブースタ切替制御方法におけるチューナのＲＦＡＧＣ特性を示す図である。
例えば、電界値７０ｄＢ以下でブースタ１０３がＯＮ駆動するように、電界値７０ｄＢ時のチューナ回路１０６が有する入力電界強度に対するＲＦＡＧＣ電圧特性（ＲＦＡＧＣ特性）に合わせた該当電圧値ＶSLを閾値電圧（以下、ＶSL：スレッショルド電圧）として設定すると、電界値が７０ｄＢ以上から徐々に弱まっていき、７０ｄＢに達した時点（図７に示すａ点）でＲＦＡＧＣ電圧はＶSLに達するので、一度ブースタ１０３はＯＮ状態となる。しかし、ブースタ１０３がＯＮ状態となることで、ブースタ１０３による増幅作用が起こるため、ブースタ１０３が例えば６ｄＢ分増幅したとすると、チューナ回路１０６に入力される電界強度（Ｔ）は７６（７０＋６）ｄＢに上昇し、図７に示すｂ点にポイントを移す。しかし、チューナ回路１０６に入力された電界強度（Ｔ）は再度７６ｄＢとなるために、７０ｄＢ以上であると判断され、再度ブースタ１０３はＯＦＦ状態となる。
【０００５】
以上から、ブースタ１０３がＯＮ状態となるために十分な電界値を得るためには、ブースタ１０３の増幅分が更に低減されるまで待つ必要がある。すなわち、アンテナ１０１に入力される電界強度（Ａ）が、数値上７０ｄＢ−６ｄＢ＝６４ｄＢまではブースタ１０３がＯＮ状態にならないことになる。すなわち、アンテナ１０１と、チューナ回路１０６とに入力される電界値が相違し、ＲＦＡＧＣ電圧値がチューナ回路１０６から制御される方式では、アンテナ１０１に入力される電界値に対して適正なブースタ切替制御が行われないことになる。
【０００６】
また、上記課題に加えて、電界強度が不安定な環境（例えば、アジアの特定地域など）では、このようなブースタの増幅分によってＲＦＡＧＣ電圧が急激に変動するために瞬間的なＯＮ／ＯＦＦ切替（いわゆるハンチング現象）が発生しやすい。このハンチング現象は、電界が不安定に揺らぐ電波環境下で頻繁に発生し、映像の乱れ等を引き起こすことがある。
【０００７】
本発明は、上述のごとき実情に鑑みてなされたものであり、ブースタのＯＮ状態とＯＦＦ状態それぞれに応じたＲＦＡＧＣ信号のスレッショルド電圧（閾値電圧）を、ブースタの状態に応じて切り替えることにより、アンテナにおける電界強度に応じた適正なブースタ切替制御を行えるようにすること、
また、ブースタのＯＮ状態とＯＦＦ状態それぞれに応じたＲＦＡＧＣ信号のスレッショルド電圧（閾値電圧）を、電波環境に応じて適切に設定可能とし、ハンチング現象や混変調等による画像の乱れを防止できるようにすること、を目的としてなされたものである。
【課題を解決するための手段】
【０００８】
上記課題を解決するために、第１の技術手段は、アンテナから入力されるテレビジョン信号を増幅可能なブースタと、該ブースタに接続されたチューナとを備えたブースタ切替制御装置において、該ブースタ切替制御装置は、前記ブースタを介して前記チューナに入力されるテレビジョン信号の電界強度に応じたＲＦＡＧＣレベルを検出するＲＦＡＧＣ検出部と、前記ブースタがＯＦＦ状態のときに前記ＲＦＡＧＣ検出部で検出可能なＲＦＡＧＣレベルに対する第１の閾値及び前記ブースタがＯＮ状態のときに前記ＲＦＡＧＣ検出部で検出可能なＲＦＡＧＣレベルに対する第２の閾値を記憶した記憶部と、前記ブースタの動作状態を判定し、その判定結果に基づいて前記記憶部に記憶されている第１の閾値あるいは第２の閾値のいずれかを選択し、該選択した第１の閾値あるいは第２の閾値に基づいて前記ブースタの動作状態を切り替え制御する制御部とを備えたことを特徴としたものである。
【０００９】
第２の技術手段は、第１の技術手段において、該ブースタ切替制御装置は、前記ＲＦＡＧＣ検出部で検出可能なＲＦＡＧＣレベルに対して閾値を設定して前記記憶部に記憶する閾値設定手段を有し、該閾値設定手段は、前記ブースタをＯＮ状態からＯＦＦ状態に切り替えるときの前記第２の閾値を、前記ブースタをＯＦＦ状態からＯＮ状態に切り替えるときの前記第１の閾値を超えない範囲で設定することを特徴としたものである。
【００１０】
第３の技術手段は、第２の技術手段において、前記閾値設定手段は、前記チューナで受信するチャンネル毎に前記第１の閾値及び／又は第２の閾値を調整できるようにしたことを特徴としたものである。
【００１１】
第４の技術手段は、第１乃至第３のいずれか１の技術手段において、前記制御部は、前記ブースタがＯＦＦ状態と判定した場合、前記記憶部から前記第１の閾値を選択して設定し、前記ＲＦＡＧＣ検出部で検出されたＲＦＡＧＣレベルが前記第１の閾値以上となったときに前記ブースタをＯＮ状態に切り替えると共に、前記記憶部から前記第２の閾値を選択して設定することを特徴としたものである。
【００１２】
第５の技術手段は、第１乃至第３のいずれか１の技術手段において、前記制御部は、前記ブースタがＯＮ状態と判定した場合、前記記憶部から前記第２の閾値を選択して設定し、前記ＲＦＡＧＣ検出部で検出されたＲＦＡＧＣレベルが前記第２の閾値以下となったときに前記ブースタをＯＦＦ状態に切り替えると共に、前記記憶部から前記第１の閾値を選択して設定することを特徴としたものである。
【００１３】
第６の技術手段は、第１乃至第５のいずれか１の技術手段において、前記第１の閾値は、前記ＲＦＡＧＣ検出部で検出可能なＲＦＡＧＣレベルの最大値、前記第２の閾値は、前記ＲＦＡＧＣ検出部で検出可能なＲＦＡＧＣレベルの最小値であることを特徴としたものである。
【００１４】
第７の技術手段は、アンテナから入力されるテレビジョン信号を増幅可能なブースタと、該ブースタに接続された複数のチューナとを備えたブースタ切替制御装置において、該ブースタ切替制御装置は、前記ブースタを介して前記複数のチューナのいずれかに入力されるテレビジョン信号の電界強度に応じたＲＦＡＧＣレベルを検出するＲＦＡＧＣ検出部と、前記ブースタがＯＦＦ状態のときに前記ＲＦＡＧＣ検出部で検出可能なＲＦＡＧＣレベルに対する第１の閾値及び前記ブースタがＯＮ状態のときに前記ＲＦＡＧＣ検出部で検出可能なＲＦＡＧＣレベルに対する第２の閾値をチューナ毎に記憶した記憶部と、前記ブースタの動作状態を判定し、その判定結果に基づいて前記記憶部に記憶されているチューナ毎の第１の閾値あるいは第２の閾値のいずれかを選択し、該選択した第１の閾値あるいは第２の閾値に基づいて前記ブースタの動作状態を切り替え制御する制御部とを備えたことを特徴としたものである。
【００１５】
第８の技術手段は、第７の技術手段において、該ブースタ切替制御装置は、前記ＲＦＡＧＣ検出部で検出可能なＲＦＡＧＣレベルに対して閾値を設定して前記記憶部に記憶する閾値設定手段を有し、該閾値設定手段は、前記ブースタをＯＮ状態からＯＦＦ状態に切り替えるときの前記第２の閾値を、前記ブースタをＯＦＦ状態からＯＮ状態に切り替えるときの前記第１の閾値を超えない範囲でチューナ毎に設定することを特徴としたものである。
【００１６】
第９の技術手段は、第７の技術手段において、該ブースタ切替制御装置は、前記ＲＦＡＧＣ検出部で検出可能なＲＦＡＧＣレベルに対して閾値を設定して前記記憶部に記憶する閾値設定手段を有し、該閾値設定手段は、前記ブースタをＯＦＦ状態からＯＮ状態に切り替えるときの前記第１の閾値を全チューナ共通とし、前記ブースタをＯＮ状態からＯＦＦ状態に切り替えるときの前記第２の閾値を前記第１の閾値を超えない範囲でチューナ毎に設定することを特徴としたものである。
【００１７】
第１０の技術手段は、第８又は第９の技術手段において、前記閾値設定手段は、前記複数のチューナで受信するチャンネル毎に前記第１の閾値及び／又は第２の閾値を調整できるようにしたことを特徴としたものである。
【００１８】
第１１の技術手段は、第１乃至第１０の技術手段のいずれか１に記載のブースタ切替制御装置を一体で設けたテレビジョン装置。
【発明の効果】
【００１９】
ブースタのＯＮ状態とＯＦＦ状態それぞれに応じたＲＦＡＧＣ信号のスレッショルド電圧値を、ブースタの現在の状態に応じて切り替えることができるため、アンテナの受信した電界強度に応じた適正なブースタ切替制御を行うことができる。
また、ブースタＯＮ時とＯＦＦ時それぞれに応じた適切なスレッショルド電圧値を設定することができるため、電界強度が不安定に揺らぐ電波受信環境におけるハンチング現象や混変調等による画像の乱れを防止することができる。
【発明を実施するための最良の形態】
【００２０】
本発明によるブースタ切替制御装置の実施形態を図１乃至図５に基づいて以下に説明する。
図１は、本発明の一実施形態に係わるブースタ切替制御装置の構成例を示すブロック図で、図中、１０はブースタ切替制御装置で、該ブースタ切替制御装置１０は、アンテナ１１，ブースタ１２，チューナ１３，映像中間周波増幅回路１４，制御部（選局制御マイコン）１５，メモリ（例えば、ＥＥＰＲＯＭ）１６，ＡＧＣ回路１７，映像検波回路１８，映像増幅回路１９を有している。
尚、本実施形態ではブースタ切替制御装置１０の構成例について示しているが、ブースタ切替制御装置１０を一体で設けたテレビジョン装置としての実施形態をとることもできる。
【００２１】
図１において、アンテナ１１でテレビジョン放送等からの電波信号を受信し、アンテナ１１で受信した電波信号をブースタ１２を介してチューナ１３に入力し、チューナ１３から取り出された映像と音声の２つの中間周波信号を映像中間周波増幅回路１４で表示部（図示せず）に表示するために必要な大きさまで増幅する。そしてこの映像中間周波増幅回路１４で処理された各種信号成分のうち、映像搬送波成分や音声信号等の余分な周波数成分が映像検波回路１８で除去され、映像増幅回路１９で数段に分かれて増幅され表示部（図示せず）に出力する。
また、このときアンテナ１１に入力された電波強度が強い時は、映像増幅回路１９で増幅された映像信号の電圧値に応じて、チューナ１３等での利得を調整し、映像信号が適切に増幅されるように制御を行う。具体的には、ＡＧＣ回路１７で映像増幅回路１９から出力された映像信号の電圧値から利得を上げるか下げるか判断し、最適な利得を与えるべくＲＦＡＧＣ信号を電圧値としてチューナ１３に送り、この電圧値に応じてチューナ１３での利得調整を行う。
【００２２】
本実施形態では、ブースタ１２のＯＦＦ→ＯＮ切替、ＯＮ→ＯＦＦ切替を制御するために、ＡＧＣ回路１７から出力されたＲＦＡＧＣ信号を制御部１５（選局制御マイコン）に送出し、予めメモリ１６に記憶されたＯＦＦ→ＯＮ状態へ切替え制御を行うためのスレッショルド電圧ＶSL1と、ＯＮ→ＯＦＦ状態へ切替え制御を行うためのスレッショルド電圧ＶSL2のうちいずれか一方をスレッショルド電圧値として設定する。これは、制御部１５がブースタ１２の現在状態（ＯＮ状態又はＯＦＦ状態）に応じたスレッショルド電圧値をメモリ１６から選択するように制御する。そして、制御部１５が、ブースタ１２を切替え制御するべきであると判断したときは、ＯＮ又はＯＦＦのいずれかの状態に制御するためのブースタ制御信号をブースタ１２に送出する。
【００２３】
図２は、図１に示したブースタ切替制御装置１０におけるブースタ切替制御方法の一例を説明するためのフロー図である。まず、電源ＯＮでブースタ切替制御装置１０を起動し、現在のブースタ１２の状態をメモリ１６から選択設定する（ステップＳ１）。ブースタ１２の現在の状態がＯＦＦであるかＯＮであるかを判断し（ステップＳ２）、現在の状態がＯＦＦ状態と判断した場合（ＹＥＳの場合）、ＯＦＦ→ＯＮのための切替え電圧ＶSL1をスレッショルド電圧ＶSLに設定し（ステップＳ３）、ＡＧＣ回路１７から送出されるＲＦＡＧＣ信号のＲＦＡＧＣ電圧（ＶAGC）と比較されるべき判断材料とする。次に、ＲＦＡＧＣ電圧（ＶAGC）がスレッショルド電圧ＶSL1より高いかどうか判断し（ステップＳ４）、ＲＦＡＧＣ電圧（ＶAGC）がスレッショルド電圧ＶSL1より高い場合（ＹＥＳの場合）、ブースタ１２をＯＮ状態に切替える制御を行うと共に（ステップＳ５）、上記ステップＳ１に戻り、ブースタ１２が現在ＯＮ状態であることを示すデータをメモリ１６から選択設定する。また、上記ステップＳ４において、ＲＦＡＧＣ電圧（ＶAGC）がスレッショルド電圧ＶSL1より低い場合（ＮＯの場合）、上記ステップＳ４の処理を繰り返す。
【００２４】
次に、上記ステップＳ２において、ブースタ１２の現在の状態がＯＮ状態と判断した場合（ＮＯの場合）、ＯＮ→ＯＦＦのための切替え電圧ＶSL2をスレッショルド電圧ＶSLに設定し（ステップＳ６）、ＡＧＣ回路１７から送出されるＲＦＡＧＣ信号のＲＦＡＧＣ電圧（ＶAGC）と比較されるべき判断材料とする。次に、ＲＦＡＧＣ電圧（ＶAGC）がスレッショルド電圧ＶSL2より低いかどうか判断し（ステップＳ７）、ＲＦＡＧＣ電圧（ＶAGC）がスレッショルド電圧ＶSL2より低い場合（ＹＥＳの場合）、ブースタ１２をＯＦＦ状態に切替えるように制御すると共に（ステップＳ８）、上記ステップＳ１に戻り、ブースタ１２が現在ＯＦＦ状態であることを示すデータをメモリ１６から選択設定する。また、上記ステップＳ７において、ＲＦＡＧＣ電圧（ＶAGC）がスレッショルド電圧ＶSL2より高い場合（ＮＯの場合）、上記ステップＳ７の処理を繰り返す。
【００２５】
図３は、本発明に係わる２つのスレッショルド電圧値ＶSL1、ＶSL2の設定例について説明するための図である。本実施形態では、ブースタのＯＦＦ→ＯＮ切替時とＯＮ→ＯＦＦ切替時において、それぞれのスレッショルド電圧をメモリ１６に記憶しておき、ブースタ１２の状態に応じて、どちらか一方に選択的に切り替えて使用するブースタ切替制御方法について説明する。
本実施形態では、ブースタ１２をＯＦＦ→ＯＮに切り替えるためのスレッショルド電圧ＶSL1をＲＦＡＧＣ電圧の上限付近に、ブースタ１２をＯＮ→ＯＦＦに切り替えるためのスレッショルド電圧ＶSL2をＲＦＡＧＣ電圧の下限付近に個別に設けてメモリ１６に記憶しておき、ブースタ１２の状態に応じて、どちらか一方のスレッショルド電圧を選択的に切り替えて使用するため、チューナ１３に入力される電界強度（Ｔ）が不安定に揺らいでも、少なくとも両スレッショルド電圧間に相当する電界強度範囲内での電界強度揺らぎに対しては、ブースタ切替え動作が頻発することを抑えて、ハンチング現象による画像の乱れ等を抑制することができる。
【００２６】
ここで、図３に示すブースタ切替制御方法において、ＯＮ→ＯＦＦ切替え時の電圧ＶSL2に低い値（ＲＦＡＧＣ電圧の最小値）を設定すると、この切替え時にチューナ１３に加わる電界強度は、アンテナ１１で受信した電界強度に加えてブースタ１２による増幅分も加えられるので、チューナ１３にはより強い電界強度の信号が入力され、電界強度が強い場合には隣接するチャンネル周波数との間で互いの周波数の電界強度に対して弱めるように作用するために、混変調を引き起こす原因となる場合がある。すなわち、強電界領域までブースタ１２のＯＮ状態が保持された結果、混変調を起こす場合がある。この点を解決するための方法について以下に示す図４に基づいて説明する。
【００２７】
図４は、本発明に係わる２つのスレッショルド電圧値ＶSL1、ＶSL2の設定の他の例について説明するための図である。本実施形態では、ブースタ１２をＯＦＦ→ＯＮに切り替えるためのスレッショルド電圧ＶSL1をＲＦＡＧＣ電圧の上限あるいは上限よりも低く、ブースタ１２をＯＮ→ＯＦＦに切り替えるためのスレッショルド電圧ＶSL2をＲＦＡＧＣ電圧の下限よりも高く個別に設けてメモリ１６に記憶しておき、ブースタ１２の状態に応じて、どちらか一方のスレッショルド電圧を選択的に切り替えて使用する。この際、ＯＦＦ→ＯＮ状態への切替制御を行うためのスレッショルド電圧ＶSL1は、ＯＮ→ＯＦＦ状態への切替制御を行うためのスレッショルド電圧ＶSL2よりも常に高い電圧となるように設定する。すなわち、スレッショルド電圧ＶSL2をＲＦＡＧＣ電圧の下限よりも高く設定し、且つ、ＶSL1＞ＶSL2を満足する範囲で設定することにより、比較的弱電界領域でブースタ１２をＯＦＦ状態にすることができるため、強電界領域までブースタ１２がＯＮ状態を保持することによる混変調を防止することができる。尚、上記スレッショルド電圧ＶSL2を設定するに際し、混変調を引き起こす電界強度の下限値はチューナによって異なるため、個々のチューナに応じて適切な値を設定すればよい。
【００２８】
上記についてより詳細に説明するために、仮にＶSL1＜ＶSL2としてスレッショルド電圧を設定した場合を想定する。例えば、ブースタ１２がＯＦＦ→ＯＮ状態に切替わる時にＶAGC＞ＶSL1の条件で一旦ブースタ１２がＯＮ状態となり、チューナ１３に入力される電界強度が増幅され、ポイントＡからポイントＢに遷移することになる。このとき、ＯＮ→ＯＦＦ状態へ切替えるためのスレッショルド電圧ＶSL2がＶSL1より高く設定されている場合、ＶAGCは新たに設定されたスレッショルド電圧ＶSL2に対して小さい値と判断され、現在のＶAGCはＶSL1を超えた値であっても、ＶSL2を超えていないので、結局ブースタ１２をＯＮ状態に制御してしまい、ブースタ１２をＯＦＦ状態に切り替えることはできない。
【００２９】
しかしながら、ＶSL1＞ＶSL2の条件で設定しておけば、例えばＯＦＦ→ＯＮ状態に切替えられるときに、上記と同様に、図４に示すポイントＡからポイントＢに遷移したとしても、その瞬間は、ＶAGCがＶSL2の値を下回ることがないので、適正なアンテナ電界強度の増加分を待って、ＲＦＡＧＣ電圧（ＶAGC）がスレッショルド電圧ＶSL2より低いかどうかの判断が行われることになる。
【００３０】
このように、ブースタ１２をＯＦＦ→ＯＮ状態に切替えるためのスレッショルド電圧ＶSL1を、ＯＮ→ＯＦＦ状態に切替えるためのスレッショルド電圧ＶSL2よりも常に高く設定することにより、ブースタ１２のＯＮ／ＯＦＦ切替を適正に行うことができる。
【００３１】
本発明によると、ブースタのＯＮ又はＯＦＦの切替制御を行うためのＲＦＡＧＣ信号のスレッショルド電圧値を、ブースタの現在の状態に応じて切り替えることができるため、アンテナの受信した電界強度に応じた適正なブースタ切替制御を行うことができる。
また、ブースタＯＮ時とＯＦＦ時それぞれに応じた適切なスレッショルド電圧値を設定することができるため、電界強度が不安定に揺らぐ電波受信環境におけるハンチング現象や混変調による画像の乱れ等を防止することができる。
【００３２】
図５は、本発明の他の実施形態に係わるブースタ切替制御装置の構成例を示すブロック図で、図中、２０はブースタ切替制御装置で、該ブースタ切替制御装置２０は、アンテナ２１，ブースタ２２，チューナ２３，映像中間周波増幅回路２４，制御部（選局制御マイコン）２５，メモリ（例えば、ＥＥＰＲＯＭ）２６，ＡＧＣ回路２７，映像検波回路２８，映像増幅回路２９を有している。本実施形態では、図１に示したチューナ１３の代わりに、ＵＨＦチューナ２３ａ及びＶＨＦチューナ２３ｂの複数のチューナを備えたチューナ２３を有している。その他の構成については図１に示した構成と同様とする。
【００３３】
図５において、チューナ（ＵＨＦチューナ２３ａ、ＶＨＦチューナ２３ｂ）毎にＯＦＦ→ＯＮ状態及びＯＮ→ＯＦＦ状態への切替制御を行うための一対のスレッショルド電圧ＶSL1、ＶSL2を設けている。チューナ設計に際し、混変調という問題を起こさないように考慮することも必要となることは前述の通りであるが、この混変調を引き起こす電界強度の下限値はチューナによっても異なる。また、混変調の発生原理は、隣接する受信周波数同士の干渉によって引き起こされることが原因であることを考慮し、例えば、メモリ２６にＵＨＦ用及びＶＨＦ用の一対のスレッショルド電圧を設定するための各種設定値ＶSL1（ＵＨＦ）、ＶSL2（ＵＨＦ）、ＶSL1（ＶＨＦ）、ＶSL2（ＶＨＦ）を格納しておく。すなわち、ＵＨＦチューナ２３ａ用のスレッショルド電圧＝（ＶSL1（ＵＨＦ），ＶSL2（ＵＨＦ））と、ＶＨＦチューナ２３ｂ用のスレッショルド電圧＝（ＶSL1（ＶＨＦ），ＶSL2（ＶＨＦ））とをメモリ２６に格納しておき、チューナ毎にスレッショルド電圧を切り替えて使用する。尚、選局チャンネル毎に一対のスレッショルド電圧を設けて、適宜切り替えるように構成してもよい。
【００３４】
このように、チューナ毎あるいは選曲チャンネル毎に一対のスレッショルド電圧を設けることによって、チューナ毎あるいは選曲チャンネル毎に混変調の対策をとることができ、電波受信環境に対応した混変調対策を施すことが可能となる。
【００３５】
尚、混変調が強電界強度域で発生しやすいことを考慮すれば、より強電界域で切替制御されるＯＮ→ＯＦＦ状態における切替制御のためのスレッショルド電圧ＶSL2の値のみチューナ毎あるいは選局チャンネル毎に個別に設定するようにしてもよく、この場合、ＯＦＦ→ＯＮ状態の切替え制御のためのスレッショルド電圧ＶSL1の値は各チューナ又は各選局チャンネルで共通の値をもたせるようにしてもよい。このように、一対のスレッショルド電圧をチューナ毎あるいは選曲チャンネル毎に組み合わせるようにして設けてもよい。
【００３６】
本発明によると、チューナ及びチャンネルに応じたスレッショルド電圧をメモリに個別に記憶設定することができるため、チューナ毎あるいはチャンネル毎に混変調を防止することができ、電波受信環境を原因とした画質低下をチューナ毎あるいはチャンネル毎に抑えることができる。
【００３７】
さらに、他の実施形態として、スレッショルド電圧の設定に自由度を持たせるようにしてもよい。例えば、ユーザによる調整ができるようにしてもよく、この場合、ＯＳＤメニュー画面等でチャンネル毎にスレッショルド電圧を微調整できるような調整項目を設けておくことで、ユーザの使用環境に応じたチューナの調整が可能となり、混変調対策を行うことができる。尚、スレッショルド電圧の調整対象としては、より混変調の影響を受けやすいＯＮ→ＯＦＦ状態切替え制御のためのスレッショルド電圧ＶSL2を、もう一方のスレッショルド電圧ＶSL1より優先させて調整するようにしてもよい。
【００３８】
本発明によると、チューナ及びチャンネルに応じたスレッショルド電圧をメモリに個別に記憶設定し、その各設定電圧値をユーザのリモコン操作等の選択によって個別に調整することができるため、ユーザがユーザ自身の電波受信環境に応じてチューナあるいはチャンネル毎に混変調を防止することができると共に、電波受信環境を原因とした画質低下をチューナ毎あるいはチャンネル毎に抑えることができる。
【００３９】
また、ＯＮ→ＯＦＦ切替時のためのスレッショルド電圧（ＶSL2）をチューナ毎あるいはチャンネル毎にメモリに個別に記憶設定できるようにし、その各設定電圧値をユーザのリモコン操作等の選択によって個別に調整することができるため、ユーザがユーザ自身の電波受信環境に応じてチューナあるいはチャンネル毎に混変調現象を防止することができると共に、電波受信環境を原因とした画質低下をチューナ毎あるいはチャンネル毎に抑えることができる。
【図面の簡単な説明】
【００４０】
【図１】本発明の一実施形態に係わるブースタ切替制御装置の構成例を示すブロック図である。
【図２】図１に示したブースタ切替制御装置におけるブースタ切替制御方法の一例を説明するためのフロー図である。
【図３】本発明に係わる２つのスレッショルド電圧値ＶSL1、ＶSL2の設定例について説明するための図である。
【図４】本発明に係わる２つのスレッショルド電圧値ＶSL1、ＶSL2の設定の他の例について説明するための図である。
【図５】本発明の他の実施形態に係わるブースタ切替制御装置の構成例を示すブロック図である。
【図６】従来のブースタを搭載したテレビジョン装置の内部構成を示すブロック図である。
【図７】図６に示したテレビジョン装置のブースタ切替制御方法におけるチューナのＲＦＡＧＣ特性を示す図である。
【符号の説明】
【００４１】
１０，２０…ブースタ切替制御装置、１１，２１，１０１…アンテナ、１２，２２，１０３…ブースタ、１３，２３…チューナ、２３ａ…ＵＨＦチューナ、２３ｂ…ＶＨＦチューナ、１４，２４…映像中間周波増幅回路、１５，２５…制御部（選局制御マイコン）、１６，２６…メモリ、１７，２７…ＡＧＣ回路、１８，２８…映像検波回路、１９，２９…映像増幅回路、１０２…テレビジョン受像機、１０２ａ…コントロール信号出力端子、１０３ａ…コントロール信号入力端子、１０４…中間周波増幅回路、１０５…ＲＦＡＧＣレベル検出回路、１０６…チューナ回路。
【図１】
2005176167.tif 000003
【図２】
2005176167.tif 000004
【図３】
2005176167.tif 000005
【図４】
2005176167.tif 000006
【図５】
2005176167.tif 000007
【図６】
2005176167.tif 000008
【図７】
2005176167.tif 000009